(57)【要約】【課題】冷蔵庫の外観品位を更に向上させつつ使い勝手にも優れた冷蔵庫を提供する。【解決手段】貯蔵室２を有する冷蔵庫本体１と、貯蔵室７に設けられた開口部を閉塞する扉とを備えた冷蔵庫において、扉７は、前面部に設けられた曲面形状のガラス板１３と、ガラス板１３の後方に設けられ静電容量の変化を検出する検出部３６とを備える。【選択図】        図１
2018035954.tif 000002
【特許請求の範囲】
【請求項１】
貯蔵室を有する冷蔵庫本体と、前記貯蔵室に設けられた開口部を閉塞する扉とを備えた冷蔵庫において、
前記扉は、前面部に設けられた曲面形状のガラス板と、前記ガラス板の後方に設けられ静電容量の変化を検出する検出部とを備えた冷蔵庫。
【請求項２】
前記ガラス板は、曲率半径の異なる複数の円弧をなめらかに繋いだ曲面形状をなし、
前記検出部が、前記ガラス板において最も曲率半径の小さい箇所の後方位置を避けて設けられている請求項１に記載の冷蔵庫。
【請求項３】
前記検出部が、可撓性を有するフィルム上に形成され、前記ガラス板に沿うように湾曲させて前記ガラス板の後方に設けられている請求項１又は２に記載の冷蔵庫。
【請求項４】
前記ガラス板は、前方へ膨らむ湾曲した板形状をなし、
前記フィルムの端部をフィルム内方へ向かって押圧して前記フィルムを前記ガラス板に沿うように湾曲させる押圧部を備える請求項３に記載の冷蔵庫。
【請求項５】
前記フィルムが後方へ凹んだ湾曲形状に変形するのを規制する規制部を備える請求項４に記載の冷蔵庫。
【請求項６】
前記フィルムの一端部を保持する保持部を備え、
前記保持部が、前記フィルムの縁から離れるほど前方へ向かうように前記フィルムを保持する請求項４又は５に記載の冷蔵庫。
【請求項７】
前記ガラス板と前記検出部との間に弾性を有する誘電体を備える請求項１又は２に記載の冷蔵庫。
【発明の詳細な説明】
【技術分野】
【０００１】
本発明の実施形態は、冷蔵庫に関するものである。
【背景技術】
【０００２】
従来より、冷蔵庫では、冷蔵庫本体に設けられた貯蔵室へ貯蔵品を出し入れする開口部を閉塞する冷蔵庫扉が設けられている。冷蔵庫扉の前面は、冷蔵庫全体の意匠に大きな影響を与え外観品位を大きく左右することから、冷蔵庫扉の前面に光沢性に優れたガラス板を設けた冷蔵庫が知られている（例えば、下記特許文献１参照）。
【０００３】
また、冷蔵庫の使い勝手を向上させるため、冷蔵庫の各種機能を設定解除する操作部を冷蔵庫扉の前面に設けることある。
【先行技術文献】
【特許文献】
【０００４】
【特許文献１】特許３１４０１１０号公報
【発明の概要】
【発明が解決しようとする課題】
【０００５】
しかしながら、更なる冷蔵庫の外観品位の向上に対する要望が強く求められている。そこで、冷蔵庫の外観品位を更に向上させつつ使い勝手にも優れた冷蔵庫を提供することを目的とする。
【課題を解決するための手段】
【０００６】
本実施形態の冷蔵庫は、貯蔵室を有する冷蔵庫本体と、前記貯蔵室に設けられた開口部を閉塞する扉とを備えた冷蔵庫において、前記扉は、前面部に設けられた曲面形状のガラス板と、前記ガラス板の後方に設けられ静電容量の変化を検出する検出部とを備える。
【図面の簡単な説明】
【０００７】
【図１】本発明の第１実施形態の冷蔵庫の斜視図。
【図２】図１の冷蔵庫の冷蔵室扉の分解斜視図。
【図３】操作表示部及び表示部をすべて表示した状態を示す操作表示装置の正面図。
【図４】操作表示装置の分解斜視図。
【図５】図１のＡ−Ａ断面図。
【図６】本発明の変更例３の冷蔵庫の斜視図である。
【図７】図６のＢ−Ｂ断面図。
【図８】本発明の変更例４の冷蔵庫における検出用基板及び支持フィルムを示す斜視図。
【図９】本発明の変更例５の冷蔵庫の断面図。
【発明を実施するための形態】
【０００８】
（第１実施形態）
以下、図面に基づいて本発明の一実施形態について説明する。
【０００９】
図１に示す冷蔵庫は、断熱性を有する冷蔵庫本体を備え、その内部に複数の貯蔵室が形成されている。貯蔵室は、上から順に冷蔵室２、野菜室３が設けられ、この野菜室３の下に製氷室４と第１冷凍室５が左右に並べて設けられ、そして最下部に第２冷凍室６が設けられている。上部に設けられた冷蔵室２と野菜室３は冷蔵温度帯の貯蔵室であり、約３℃〜５℃の温度に調整される。また、製氷室４、第１冷凍室５および第２冷凍室６は冷凍温度帯の貯蔵室であり、約−２０℃前後の温度に調整される。
【００１０】
冷蔵庫本体１には、図示はしないが、冷蔵温度帯の貯蔵室を冷却するための冷蔵用冷却器と、冷凍温度帯の貯蔵室を冷却するための冷凍用冷却器とを含む冷凍サイクルが設けられている。また、製氷室４には、図示はしないが自動製氷装置が設けられている。
【００１１】
冷蔵室２の前面には、当該冷蔵室２の前面開口部を開閉する左右２枚の観音開き式の冷蔵室扉７，８が設けられている。左側の冷蔵室扉７の左端部は、ヒンジ７ａにより回動可能に枢支されており、また、右側の冷蔵室扉８は右端部がヒンジ８ａにより回動可能に枢支されている。
【００１２】
野菜室３の前面、製氷室４の前面、第１冷凍室５の前面、および第２冷凍室６の前面には、それぞれ対応する貯蔵室の前面開口部を開閉する引き出し式の扉９，１０，１１，１２が設けられている。これらの扉９〜１２の裏側には、図示はしないがそれぞれ貯蔵容器が設けられている。
【００１３】
冷蔵室２の左右の扉７，８と、野菜室３、製氷室４、第１冷凍室５および第２冷凍室６の各扉９〜１２の前面部には、各扉７〜１２の外表面を構成する扉前面板１３が設けられている。本実施形態の扉前面板１３は、透光性を有する無色あるいは有色の板状のガラス板を備え、必要に応じて着色したり金属光沢を付与する着色層が後面（裏面）側に積層されている。
【００１４】
各扉７〜１２に設けられた扉前面板１３は、左右両側端より冷蔵庫の幅方向中央に行くほど前方に位置するように前方に膨らむ湾曲した板形状をなしている。具体的には、扉前面板１３の前面及び後面が、上下方向に湾曲せず水平方向のみに前方へ膨らむように湾曲している。扉前面板１３の水平断面形状は、曲率半径の異なる複数の円弧をなめらかに繋いだ湾曲形状であって、冷蔵庫の幅方向外側ほど曲率半径の小さい円弧からなる曲面形状をなしている。また、冷蔵室扉７，８のように冷蔵庫の幅方向に並べて配置される扉の扉前面板１３は、冷蔵庫の幅方向中央部が最も前方に位置するように、なめらかに連続する凸曲面形状に設けられており、冷蔵庫の幅方向外側（ヒンジ側）に比べて幅方向内側（反ヒンジ側）において曲率半径が大きくなっている。
【００１５】
そして、左右の冷蔵室扉７，８の一方には、扉前面板１３を構成するガラス板の後方に操作表示装置３０が設けられている。この例では、操作表示装置３０は、左側の冷蔵室扉７の扉前面板１３において最も曲率半径の小さい冷蔵庫の幅方向外側の位置を避け、反ヒンジ側（右側）に寄った位置に設けられている。
【００１６】
操作表示装置３０が設けられた冷蔵室扉７は、図２に示すように、扉前面板１３と、上側の扉キャップ１４と、ヒンジ側の扉キャップ１５と、下側の扉キャップ１６と、反ヒンジ側の扉キャップ１７と、扉内側部材１８と、枠状の裏側部材１９と、操作表示装置３０を収納する収納ボックス２０と、蓋部材２１等を有している。
【００１７】
扉前面板１３の上辺部には上側の扉キャップ１４が取り付けられ、扉前面板１３のヒンジ側の辺部（左辺部）には外側の扉キャップ１５が取り付けられ、扉前面板１３の下辺部には下側の扉キャップ１６が取り付けられ、そして扉前面板１３の反ヒンジ側辺部（右辺部）には内側の扉キャップ１７が取り付けられ、扉キャップ１４，１５，１６，１７が扉前面板１３の四方の辺部を保持する。反ヒンジ側の扉キャップ１７には、上下方向の中央部に開口部１７ａが設けられている。
【００１８】
扉内側部材１８は、扉前面板１３の後面１３ａ側に設けられた長方形状の部材であり、真空断熱パネルや発泡断熱材等の断熱材を備える。裏側部材１９は、扉前面板１３との間で扉内側部材１８を挟んだ状態で、ガラス板１３の後面１３ａ側に固定される。
【００１９】
収納ボックス２０は、図２に示すように、前方及び右側方に開口する略矩形箱状をなしており、前面開口部２０ａの周縁部から外方に突出する鍔部２０ｂを有している。収納ボックス２０は、鍔部２０ｂが扉前面板１３の後面１３ａに対して、両面粘着テープによって固定されることで、扉前面板１３と扉内側部材１８との間に設けられ、前面開口部２０ａが扉前面板１３の後面１３ａによって閉塞されている。収納ボックス２０に設けられた右側面の開口部２０ｄは、扉キャップ１７の開口部１７ａを介して外部へ開放し、操作表示装置３０が冷蔵室扉７の幅方向内方（以下、この方向を挿入方向Ｔという）に沿って挿入され、蓋部材２１によって閉塞されている。
【００２０】
操作表示装置３０は、図４に示すように、表示用フィルム３３、検出用基板３５、支持フィルム３７、遮光板４０、及び操作基板４１を備え、扉キャップ１７の開口部１７ａから収納ボックス２０内へ挿入されることで冷蔵室扉７の扉前面板１３の後面１３ａ側に配設される。
【００２１】
操作表示装置３０が設けられた冷蔵室扉７の扉前面板１３の前面１３ｂには、図３に示すように、操作表示装置３０の前方に位置させて、操作表示部３１と表示部３２が設けられている。
【００２２】
このうち操作表示部３１は、使用者によるタッチ操作を受け付ける操作部と、表示内容を表示する表示部の機能を兼ね備えたものであって、この例では、上下方向に複数個並べて配置されている。また、表示部３２は、操作表示部３１の左側に配置され、上下方向に複数個並べて配置されている。表示部３２の下部の一部は、操作表示部３１の下方にも設けられている。なお、扉前面板１３の後面１３ａにおいて、透光性が必要な部分以外には扉前面板１３に着色あるいは金属光沢を付与するフィルム状の着色層が設けられている。これにより、扉前面板１３の前方から断熱材等の扉内側部材１８が見えないように処理されている。
【００２３】
操作表示装置３０の前面には、図４及び図５に示すように、透光性を有する表示用フィルム３３が扉前面板１３の後面１３ａと対向するように設けられている。この表示用フィルム３３には、操作表示部３１及び表示部３２の後方に位置させて複数個のフィルム透光部が抜き文字印刷により設けられている。本実施形態では、フィルム透光部は、通常状態では扉前面板１３の前方からは見えず、後述するＬＥＤ素子４１ａにより裏側から照明されると、図３に示すように、扉前面板１３の前方から見えるようになる。
【００２４】
表示用フィルム３３の裏側（後側）には、静電容量の変化を検出する検出用基板３５が設けられている。この検出用基板３５は、可撓性を有するフィルム状の基板からなり、操作表示部３１の位置に対応させて静電容量式の検出部３６が設けられている。本実施形態では、検出部３６は、操作表示部３１の外形に対応して円形状に形成された金属膜を備え、後方に配置された光源からの光を透過する透光孔３６ａが設けられている。
【００２５】
検出用基板３５の後側には、可撓性を有する支持フィルム３７が設けられている。支持フィルム３７は、検出用基板３５より大きく、表示用フィルム３３と検出用基板３５に重ねて接着固定されている。
【００２６】
支持フィルム３７の後側には、遮光板４０を介して複数個のＬＥＤ（発光ダイオード）素子４１ａが所定パターンで搭載された操作基板４１が設けられている。
【００２７】
操作基板４１には、各ＬＥＤ素子４１ａを駆動する駆動部と、操作表示部３１に使用者が触れたかどうかを検出部３６の静電容量の変化に基づいて判断する判定回路を搭載している。
【００２８】
このような操作基板４１は、湾曲形状に設けられた扉前面板１３の後面１３ａまでの距離が冷蔵庫幅方向において略等しくなるように、冷蔵庫本体１の前後方向に垂直な面に対して傾斜させて収納ボックス２０内に配設されている。
【００２９】
遮光板４０は、操作基板４１の前面に重ねて配置される板状の部材からなり、操作基板４１上に設けられたＬＥＤ素子４１ａに対応する位置に、ＬＥＤ素子４１ａから放出された光を対応する操作表示部３１や表示部３２へ導光する凹部４０ａが設けられている。支持フィルム３７と前後方向に対向する遮光板４０の前面４０ｂは、冷蔵室扉７の扉前面板１３の湾曲形状に沿った前方へ膨らむ湾曲形状をなしている。
【００３０】
また、遮光板４０の前面には、支持フィルム３７へ向けて前方へ突出するフィルム押圧部材４０ｃが凹部４０ａを取り囲むように設けられている。フィルム押圧部材４０ｃは、弾性変形可能なゴム状弾性体からなり、支持フィルム３７に当接し、扉前面板１３へ向けて支持フィルム３７を前方へ押圧するとともに、ＬＥＤ素子４１ａから放出された光を前方に配置された操作表示部３１のみへ導光する。
【００３１】
遮光板４０の前面に重ねて配置された支持フィルム３７は、遮光板４０に設けられた凹部４０ａに対向する位置に凹部４０ａの前面開口と連通する貫通孔３７ｃが設けられている。貫通孔３７ｃの周縁部には、遮光板４０の前面から突出するフィルム押圧部材４０ｃが当接し、支持フィルム３７に支持された検出用基板３５の検出部３６を表示用フィルム３３に押しつける。
【００３２】
このような遮光板４０は、挿入方向Ｔの前側端部（ヒンジ側端部）４０ｄが、収納ボックス２０に設けられた遮光板支持部２０ｇによって支持され、挿入方向Ｔの後側端部（反ヒンジ側端部）４０ｅが、蓋部材２１から収納ボックス２０内へ突出する遮光板押圧部材２１ａによって支持されている。
【００３３】
遮光板４０の前面に設けられた支持フィルム３７は、挿入方向Ｔの後側端部３７ａのみが遮光板４０に対して両面接着テープ４２で固定されており、挿入方向Ｔの前側端部３７ｂ等が遮光板４０に固定されていない。これにより、支持フィルム３７は、両面接着テープ４２で遮光板４０に固定された挿入方向Ｔの後側端部３７ａを起点にして、当該後側端部３７ａより挿入方向Ｔの前方に位置する部分が遮光板４０に対して移動可能に設けられている。
【００３４】
また、支持フィルム３７は、挿入方向Ｔの前側端部３７ｂが、収納ボックス２０の前面開口部２０ａの周縁部に設けられた保持部２０ｅによって保持されている。保持部２０ｅは、支持フィルム３７の後面と接触する保持面２０ｆが、支持フィルム３７の端部３７ｂから離れるほど（つまり、支持フィルム３７の内方に行くほど）前方へ向かうように傾斜する傾斜面をなしている。これにより、収納ボックス２０に設けられた保持部２０ｅは、支持フィルム３７の挿入方向Ｔの前側端部３７ｂを縁から離れるほど前方へ向かうように保持する。
【００３５】
操作表示装置３０は、使用者が扉前面板１３の前面１３ｂから操作表示部３１に触れると、検出用基板３５に設けられた検出部３６における静電容量が変化するが、この静電容量の変化を操作基板４１に搭載された判定回路が検出することで、検出した操作表示部３１に対応付けられた制御を実行する。
【００３６】
このような構成において、検出部３６を湾曲する扉前面板１３の後面１３ａに密着させ静電容量の変化を精度よく検出するため、操作表示装置３０では検出部３６が設けられた検出用基板３５を扉前面板１３の後面１３ａに沿うように前方へ膨らむ湾曲形状に撓ませる。
【００３７】
具体的には、表示用フィルム３３、検出用基板３５、支持フィルム３７、遮光板４０、及び操作基板４１とを前後方向に重ね合わせた状態で操作表示装置３０を扉キャップ１７の開口部１７ａから収納ボックス２０内へ挿入すると、支持フィルム３７は、挿入方向Ｔの前側端部３７ｂが、収納ボックス２０の保持部２０ｅによって支持フィルム３７の内方に行くほど前方へ向かうように保持される。これにより、支持フィルム３７には、前方へ膨らむように湾曲変形しやすいようにくせが付けられる。
【００３８】
そして、操作表示装置３０を収納ボックス２０内に挿入した後、収納ボックス２０に設けられた右側面の開口部２０ｄに蓋部材２１が嵌め込まれ、当該開口部２０ｄを閉塞する。その際、蓋部材２１に設けられた遮光板押圧部材２１ａが挿入方向Ｔに押し込まれ、遮光板４０の挿入方向Ｔの後側端部４０ｅを押圧する。
【００３９】
遮光板押圧部材２１ａは、遮光板４０の後面に当接する押圧面２１ｂが挿入方向Ｔの前方へ行くほど後方へ傾く傾斜面をなしているため、遮光板４０の挿入方向Ｔの後側端部４０ｅを冷蔵庫本体１の前方へ押圧するとともに、挿入方向Ｔの前方へ押圧する。つまり、蓋部材２１が収納ボックス２０の開口部２０ｄを閉塞すると、遮光板押圧部材２１ａによって遮光板４０は、扉前面板１３に向けて押圧されつつ収納ボックス２０の奥側（挿入方向Ｔの前方）へ押し込まれる。
【００４０】
遮光板４０は、遮光板押圧部材２１ａによって扉前面板１３に向けて前方へ押圧されることで、遮光板４０の前面４０ｂに設けられたフィルム押圧部材４０ｃを介して検出用基板３５及び表示用フィルム３３を積層した支持フィルム３７を扉前面板１３の後面１３ａに押し付ける。弾性変形可能なフィルム押圧部材４０ｃは、支持フィルム３７に重ねて固定された検出用基板３５及び表示用フィルム３３を冷蔵室扉７の扉前面板１３の湾曲形状に沿うように湾曲変形させて扉前面板１３の後面１３ａに押し付け、検出用基板３５及び表示用フィルム３３を密着させる。
【００４１】
また、遮光板４０は、遮光板押圧部材２１ａによって挿入方向Ｔの前方へ押し込まれると、両面接着テープ４２によって遮光板４０に固定された支持フィルム３７の挿入方向Ｔの後側端部３７ａも挿入方向Ｔの前方へ押圧される。支持フィルム３７の挿入方向Ｔの前側端部３７ｂは収納ボックス２０に設けられた保持部２０ｅによって保持されている。そのため、支持フィルム３７には、挿入方向Ｔの前後両端部３７ａ，３７ｂをフィルム内方へ向かって押圧する力が作用する。これにより、支持フィルム３７は、検出用基板３５及び表示用フィルム３３とともに冷蔵室扉７の扉前面板１３の後面１３ａに倣った形状に湾曲し、検出用基板３５及び表示用フィルム３３を扉前面板１３の後面１３ａに押し付け密着させる。
【００４２】
以上のような本実施形態の冷蔵庫では、貯蔵室２〜６の前面開口部を閉塞する扉７〜１２の外表面を構成する扉前面板１３が曲面形状のガラス板を備えているため、冷蔵庫の正面視において光沢性に富んだ立体的な外観を呈することとなり、冷蔵庫の外観品位を向上させることができる。
【００４３】
しかも、冷蔵室扉７の扉前面板１３の後方には、静電容量の変化を検出する検出部３６が設けられており、使用者が扉前面板１３の前面１３ｂに触れたかどうかを検出することができることができるため、冷蔵庫の各種機能を設定解除する操作部を冷蔵庫扉の前面に設けることができ、冷蔵庫の使い勝手を向上させることができる。
【００４４】
しかも、本実施形態では、検出部３６を備える操作表示装置３０が、扉前面板１３を構成するガラス板において最も曲率半径の小さい箇所を避けた位置の後方に設けられているため、検出部３６を扉前面板１３の後面１３ａに密着させやすくなり、検出感度を良好にできる。また、複数の検出部３６を設ける場合に使用者がタッチ操作する扉前面板１３の前面１３ｂから各検出部３６までの距離が一定となり、各検出部３６の検出感度の設定が容易となる。
【００４５】
本実施形態では、検出部３６を可撓性を有する検出用基板３５上に形成し、検出用基板３５を湾曲させて扉前面板１３の後面１３ａに配置するため、曲面形状の扉前面板１３であっても検出部３６を後面１３ａに密着させやすくなり、検出部３６における検出感度を向上させることができる。
【００４６】
しかも、本実施形態では、扉前面板１３が前方に膨らむ湾曲形状をなしているため、検出用基板３５を扉前面板１３の後面１３ａに沿わせて湾曲させると、検出用基板３５が前方へ膨らむように変形するため、検出用基板３５に設けられた検出部３６が扉前面板１３の後面１３ａに押し付けられ、より一層検出部３６における検出感度を向上させることができる。
【００４７】
さらに、本実施形態では、支持フィルム３７の挿入方向Ｔの前後両端部３７ａ、３７ｂをフィルム内方へ向かって押圧することで、支持フィルム３７を扉前面板１３の後面１３ａに沿った形状に湾曲させ、検出用基板３５に設けられた検出部３６を扉前面板１３の後面１３ａに密着させることができる。
【００４８】
しかも、本実施形態では、遮光板４０に設けられたフィルム押圧部材４０ｃが、支持フィルム３７を前方へ押圧し、支持フィルム３７が後方へ凹んだ形状に湾曲するのを規制する規制部として機能するため、支持フィルム３７の両端部３７ａ、３７ｂをフィルム内方へ向かって押圧しても、検出部３６が扉前面板１３の後面１３ａから離れるように支持フィルム３７が変形することがなく、確実に検出部３６を扉前面板１３の後面１３ａに密着させることができる。
【００４９】
また、本実施形態では、支持フィルム３７は、収納ボックス２０の保持部２０ｅによって支持フィルム３７の内方に行くほど前方へ向かうように保持され、前方へ膨らむ湾曲形状に変形しやすいようにくせが付けられているため、支持フィルム３７の両端部３７ａ、３７ｂをフィルム内方へ向かって押圧しても、検出部３６が扉前面板１３の後面１３ａから離れるように支持フィルム３７が変形することがなく、確実に検出部３６を扉前面板１３の後面１３ａに密着させることができる。
【００５０】
（変更例１）
上記した本実施形態では、弾性変形可能なフィルム押圧部材４０ｃが支持フィルム３７を扉前面板１３の後面１３ａに押し付けるとともに、支持フィルム３７の両端部３７ａ、３７ｂをフィルム内方へ向かって押圧することで、支持フィルム３７を扉前面板１３の形状に沿うように湾曲変形させ検出用基板３５及び表示用フィルム３３を密着させる場合について説明したが、支持フィルム３７の両端部３７ａ、３７ｂをフィルム内方へ向かって押圧することなく、フィルム押圧部材４０ｃによって支持フィルム３７を扉前面板１３の後面１３ａに押し付けて湾曲変形させたり、あるいは、フィルム押圧部材４０ｃを設けることなく支持フィルム３７の両端部３７ａ、３７ｂをフィルム内方へ向かって押圧することで支持フィルム３７を湾曲変形させてもよい。
【００５１】
（変更例２）
上記した実施形態では、検出部３６が設けられた検出用基板３５と重ねて固定した支持フィルム３７の端部３７ａ，３７ｂをフィルム内方へ向かってを押圧することで支持フィルム３７とともに検出用基板３５も湾曲変形させる場合について説明したが、検出用基板３５を内方へ押圧して湾曲変形させてもよい。
【００５２】
（変更例３）
上記した実施形態では、冷蔵室２の左右の扉７，８と、野菜室３、製氷室４、第１冷凍室５および第２冷凍室６の各扉９〜１２の前面部に設けられた扉前面板１３が、上下方向に湾曲せず水平方向のみに前方に膨らむ湾曲した板形状である場合について説明したが、例えば、図６に示すように、各扉９〜１２の前面部に設けられた扉前面板１３２が、上下方向に湾曲せず水平方向のみに後方へ凹むように湾曲した板形状であってもよい。
【００５３】
冷蔵室扉７に設けられた操作表示装置３０では、図７に示すように、支持フィルム３７と前後方向に対向する遮光板４０２の前面４０２ｂが、冷蔵室扉７の扉前面板１３２の湾曲形状に沿った後方へ膨らむ湾曲形状をなしている。遮光板４０２の前面４０２ｂには、支持フィルム３７へ向けて前方へ突出するフィルム押圧部材４０ｃが凹部４０ａを取り囲むように設けられている。フィルム押圧部材４０ｃは、弾性変形可能なゴム状弾性体からなり、支持フィルム３７に当接し、扉前面板１３２へ向けて支持フィルム３７を前方へ押圧することで、検出用基板３５に設けられた検出部３６を扉前面板１３２の後面１３２ａに密着させるとともに、ＬＥＤ素子４１ａから放出された光を前方に配置された操作表示部３１のみへ導光する。
【００５４】
このような場合でも、上記した実施形態と同様、冷蔵庫の正面視において光沢性に富んだ立体的な外観を呈することとなり、冷蔵庫の外観品位を向上させることができるとともに、冷蔵庫の各種機能を設定解除する操作部を冷蔵庫扉の前面に設けることができ、冷蔵庫の使い勝手を向上させることができる。
【００５５】
（変更例４）
上記した実施形態では、冷蔵室２の左右の扉７，８と、野菜室３、製氷室４、第１冷凍室５および第２冷凍室６の各扉９〜１２の前面部に設けられた扉前面板１３が、上下方向に湾曲せず水平方向のみに前方に膨らむ湾曲した板形状である場合について説明したが、例えば、各扉９〜１２の前面部に設けられた扉前面板１３を上下方向及び水平方向において、前方に膨らむ、あるいは後方へ凹む湾曲形状としてもよい。このような場合において、図８に例示するように検出部３６が設けられた検出用基板３５や支持フィルム３７に切れ込み３８を設けてもよい。これにより、上下方向及び水平方向に湾曲する扉前面板１３に対して検出部３６を密着させることができ、検出部３６における検出感度を向上させることができる。
【００５６】
（変更例５）
上記した実施形態では、可撓性を有するフィルム状の検出用基板３５に検出部３６を設け、扉前面板１３の後面１３ａに沿うように検出用基板３５を湾曲させることで、検出部３６を扉前面板１３に密着させ検出部３６における検出感度を向上させる場合について説明したが、例えば、図９に示すように、検出部３６を剛性の高い絶縁体基材からなるリジッド基板３９に設け、検出部３６と扉前面板１３との間に弾性を有するゴム状の誘電体４４を設けてもよい。このような場合でも、曲面形状の扉前面板１３の後方に設けた検出部３６を機能させ、冷蔵庫扉の前面に操作部を設けることができる。
【００５７】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５８】
１…冷蔵庫本体、２…冷蔵室、７…冷蔵室扉、８…冷蔵室扉、１３…扉前面板、１３ａ…後面、１３ｂ…前面、１７ａ…開口部、２０…収納ボックス、２０ａ…前面開口部、２０ｄ…開口部、２０ｅ…保持部、２０ｆ…保持面、２０ｇ…遮光板支持部、２１…蓋部材、２１ａ…遮光板押圧部材、２１ｂ…押圧面、３０…操作表示装置、３１…操作表示部、３２…表示部、３３…表示用フィルム、３５…検出用基板、３６…検出部、３７…支持フィルム、３７ａ…後側端部、３７ｂ…前側端部、３７ｃ…貫通孔、４０…遮光板、４０ｃ…フィルム押圧部材、４１…操作基板
【図１】
2018035954.tif 000003
【図２】
2018035954.tif 000004
【図３】
2018035954.tif 000005
【図４】
2018035954.tif 000006
【図５】
2018035954.tif 000007
【図６】
2018035954.tif 000008
【図７】
2018035954.tif 000009
【図８】
2018035954.tif 000010
【図９】
2018035954.tif 000011